(57)【要約】【課題】  カメラから目を離して肉眼で被写体を確認する際に、ストロボレギュレータが邪魔となることがないようにする。【解決手段】  ストロボレギュレータ１０のケース２６の上にデジタルカメラ１２の底面を着脱自在に固定し、デジタルカメラ１２に取り付けられるべきストロボ閃光体１８、１８’に接続されるべきストロボレギュレータ本体は、ケース２６内に収納され、ケース２６の上面には摘み４８によって回転してカメラ本体１４のそこのねじ孔にねじ込まれるねじ棒が突出している。【選択図】        図１
2005331540.tif 000002
【特許請求の範囲】
【請求項１】
デジタルカメラのカメラ本体が搭載されるケースと、前記カメラ本体の底面を前記ケースに着脱自在に固定するカメラ固定手段と、前記ケース内に配置され前記デジタルカメラに取り付けられるべきストロボ閃光体に接続されるべきストロボレギュレータ本体と、前記ケース内に配置され前記ストロボレギュレータ本体を介して前記ストロボ閃光体を駆動する電源とから成っていることを特徴とするデジタルカメラマウント用ストロボレギュレータ。
【請求項２】
請求項１に記載のデジタルカメラマウント用ストロボレギュレータであって、前記カメラ固定手段は、前記ケースの上面から突出し前記カメラ本体の底面に設けられたねじ孔にねじ込まれるべきねじ棒と、前記ねじ棒を回転する摘みとから成り、前記摘みは、前記ケースの外部から操作できるように前記ケースのスリットから部分的に露出していることを特徴とするデジタルカメラマウント用ストロボレギュレータ。
【請求項３】
請求項１又は２に記載のデジタルカメラマウント用ストロボレギュレータであって、前記カメラ本体のホットシューに接続されるべきホットシューアダプタを更に備え、前記ホットシューアダプタは、コードを介して前記ストロボレギュレータ本体に接続されていることを特徴とするデジタルカメラマウント用ストロボレギュレータ。
【発明の詳細な説明】
【技術分野】
【０００１】
本発明は、デジタルカメラに取り付けられる閃光体を駆動するストロボレギュレータに関し、特にその配置を改良したストロボレギュレータに関するものである。
【背景技術】
【０００２】
本出願人は、先に、デジタルカメラのカメラ本体のレンズ筒の正面に取り付けられたリング状ストロボ閃光体又は取付けリングを介して左右に首振り自在に取り付けられたツインストロボ閃光体を備えたデジタルカメラを開示している（特許文献1及び特許文献２参照）。
【０００３】
このようなストロボ閃光体を備えたデジタルカメラにおいては、ストロボレギュレータは、カメラ本体の頂部に設けられたアクセサリーシューに取り付けており、ストロボレギュレータとストロボ閃光体とは、接続ケーブルで接続している。
【０００４】
カメラで撮影している間に、撮影者は、カメラのファインダから目を離して肉眼で被写体を確認することがしばしばあるが、カメラ本体の頂部にストロボレギュレータが取り付けられていると、カメラのファインダの上方にストロボレギュレータが縦長に延びているため、カメラから目を離して肉眼で被写体を確認する際に、ストロボレギュレータが邪魔となって確認を容易に行うことができない欠点があった。
【０００５】
【特許文献１】特開２００１−３５６４０３号公報
【特許文献２】特開２００２−１２２９３６号公報
【発明の開示】
【発明が解決しようとする課題】
【０００６】
本発明が解決しようとする課題は、カメラから目を離して肉眼で被写体を確認する際に、ストロボレギュレータが邪魔となることがないように配置することができるデジタルカメラマウント用ストロボレギュレータを提供することにある。
【課題を解決するための手段】
【０００７】
本発明の第１の課題解決手段は、  デジタルカメラのカメラ本体が搭載されるケースと、このカメラ本体の底面をケースに着脱自在に固定するカメラ固定手段と、ケース内に配置されデジタルカメラに取り付けられるべきストロボ閃光体に接続されるべきストロボレギュレータ本体と、ケース内に配置されストロボレギュレータ本体を介してストロボ閃光体を駆動する電源とから成っていることを特徴とするデジタルカメラマウント用ストロボレギュレータを提供することにある。
【０００８】
本発明のデジタルカメラマウント用ストロボレギュレータのカメラ固定手段は、ケースの上面から突出しカメラ本体の底面に設けられたねじ孔にねじ込まれるべきねじ棒とこのねじ棒を回転する摘みとから成り、この摘みは、ケースの外部から操作できるようにケースのスリットから部分的に露出している形態とすることができる。
【０００９】
また、本発明のデジタルカメラマウント用ストロボレギュレータは、カメラ本体のホットシューに接続されるべきホットシューアダプタを更に備え、このホットシューアダプタは、コードを介してストロボレギュレータ本体に接続されているものとすることができる。
【発明の効果】
【００１０】
このように、ストロボレギュレータがデジタルカメラのカメラ本体の頂部ではなく、このカメラ本体を搭載するようにカメラ本体の底面を着脱自在に固定するケース内に配置されていると、カメラから目を離して肉眼で被写体を確認する際に、ストロボレギュレータが邪魔となることがなく、被写体の確認を容易に行うことができる。
【００１１】
また、ストロボレギュレータにカメラ本体を固定する作業は、ケースの底面に通常設けられている三脚固定用のねじ孔にねじ棒をねじ込むように正面から露出する摘みを回転するだけで行うことができるので、カメラの取付けを容易に行うことができる。
【００１２】
ストロボレギュレータとカメラ本体との電気的同期は、ケースから延びるシューアダプタをカメラ本体のホットシューに接続することによって容易に行うことができる。
【発明を実施するための最良の形態】
【００１３】
本発明の実施の形態を図面を参照して詳細に述べると、図１乃至図３は、本発明の１つの実施形態によるデジタルカメラマウント用ストロボレギュレータ１０を備えたデジタルカメラ１２を示している。
【００１４】
図示の形態では、デジタルカメラ１２は、カメラ本体１４のレンズ筒１６の前方の両側で発光する複数（図示の例では２つ）のストロボ閃光体１８、１８’を含むストロボ手段２０を有する。
【００１５】
このストロボ手段２０は、カメラ本体１４のレンズ筒１６の前部に適宜の手段で取り付けられるリング状ストロボホルダー２２と、このリング状ストロボホルダー２２に左右、上下に角度調節することができるようにストロボ閃光体１８、１８’をそれぞれ着脱自在に保持するストロボ保持機構２４、２４’とから成っている。
【００１６】
本発明のデジタルカメラマウント用ストロボレギュレータ１０は、図４に示すように、カメラ本体１４が搭載されるケース２６と、このカメラ本体１４の底面をケース２６に着脱自在に固定するカメラ固定手段２８と、ケース２６内に配置されストロボ閃光体１８、１８’に接続されるべきストロボレギュレータ本体３０と、ケース２６内に配置されストロボレギュレータ本体３０を介してストロボ閃光体１８、１８’を駆動する電源３２とから成っている。
【００１７】
ストロボレギュレータ本体３０は、光量調節回路、電圧上昇防止安定化回路、電源自動切断回路の如きストロボレギュレータ回路を搭載したＩＣ回路基板３４と、ストロボ用メインコンデンサ３６と、トランス３８と、ストロボ発光用トリガーコイル４０と、電源３２となるべき電池を出し入れ自在に収納する電池収納部４２とから成っている。これらの構成要素は、図４に示すように、ケース２６内に収納されている。
【００１８】
電圧上昇防止安定化回路は、電池を使用する場合に、電池の消耗割合によって電圧が変動して発光量が不安定になるのを防止して発光量が一定になるようにする電圧上昇を防止する機能を有し、また電源自動切断回路は、発光後例えば４分間経過すると、電源が自動的に切断されて電池の消耗を防止する機能を有する。
【００１９】
ストロボレギュレータ１０は、その出力をストロボ閃光体１８、１８’にそれぞれ接続する２つの接続ケーブル４４、４４’を含み、これらの接続ケーブル４４、４４’は、ストロボレギュレータ１０の出力端子（図示せず）に差込自在にして接続される。なお、接続ケーブル４４、４４’は、ストロボレギュレータ１０の出力端子に差し込み式でなく直接接続されていてもよい。
【００２０】
カメラ固定手段２８は、図５に示すように、ケース２６の上面から突出しカメラ本体１４の底面に設けられたねじ孔（三脚取付用ねじ孔）にねじ込まれるべきねじ棒４６と、このねじ棒４６を回転する摘み４８とから成り、この摘み４８は、ケース２６の外部から操作できるようにケース２６の正面と背面とに跨って設けられたスリット２６Ｓから部分的に露出している。摘み４８は、回転することができるが、上下に変位することがないようにスリット２６Ｓのっ上下の壁によって保持されている。
【００２１】
従って、デジタルカメラ１２の底面をそのねじ孔にねじ棒４６が入り込むようにしてマウント用ストロボレギュレータ１０のケース２６の上に搭載し、摘み４８を回すと、ねじ棒４６がカメラ本体１４のねじ孔にねじ込まれ、ねじ棒４６の鍔４６Ｆがケース２６の内面に衝合すると、このねじ棒４６によってカメラ本体１４がケース２６に固定される。
【００２２】
デジタルカメラマウント用ストロボレギュレータ１０は、カメラ本体１４のホットシュー１４Ｈに接続されるべきホットシューアダプタ５０を更に備えており、このホットシューアダプタ５０は、ケース２６を貫通して外部に延びる接続コード５２を介してストロボレギュレータ本体３０に接続されている。
【００２３】
本発明のデジタルカメラマウント用ストロボレギュレータ１０は、そのケース２６の上にカメラ本体１４を載せ、カメラ固定手段２８の摘み４８を回してカメラ本体１４をケース２６に固定して用いられる。ストロボ閃光体１８、１８’から延びるストロボ接続ケーブル４４、４４’をストロボレギュレータ１０の出力端子に差込み、またケース２６から延びる接続コード５２の先端のシューアダプタ５０をカメラ本体１４のホットシュー１４ＨＳに接続してデジタルカメラ１２にストロボ閃光体１８、１８’をセットする。
【００２４】
デジタルカメラ１２で被写体を撮影する際に、シャッターに連動してホットシュー１４ＨＳ、ホットシューアダプタ５０、接続コード５２を介してストロボレギュレータ本体３０のトリガーコイル４０が励起されると、ストロボ出力がストロボ接続ケーブル４４、４４’を介してストロボ閃光体１８、１８’を駆動しストロボ発光する。
【００２５】
このように、ストロボレギュレータ１０をデジタルカメラ１２のカメラ本体１４の頂部ではなく、カメラ本体１４の底面に着脱自在に固定するので、カメラから目を離して肉眼で被写体を確認する際に、ストロボレギュレータが視界の邪魔となることがなく、被写体を容易に確認することができる。
【００２６】
また、ストロボレギュレータ１０は、カメラ本体１４の底面に設けられている三脚固定用のねじ孔にねじ棒４６をねじ込むように摘み４８を回転するだけでカメラに固定することができるので、カメラの取付けを容易に行うことができる。
【００２７】
更に、ストロボレギュレータ１０とカメラ本体１６とは、シューアダプタ５０をカメラのホットシューに接続することによって容易に電気的同期を取ることができる。
【００２８】
ストロボレギュレータ１０は、そのケース２６の正面にはＡＣアダアプタジャック６０が設けられていてＡＣアダプタによって供給される交流電源を電源としてこの交流電源からストロボを駆動するようにすることもできる。なお、図面において、符号５６は、光量調節ダイヤル、符号５８は、電源スイッチを示す。
【００２９】
本発明のストロボレギュレータ１０をリング状ストロボ閃光体に適用した形態が図６及び図７に示されており、この形態のストロボレギュレータ１０は、リング状ストロボ閃光体１８から延びる１つの接続ケーブル４４の先端の端子がストロボレギュレータ１０に設けられた１つの出力端子に差し込んで接続されることを除いてツインストロボ閃光体に適用したものと全く同じであるので、詳細な説明を省略する。
【００３０】
なお、本発明のストロボレギュレータ１０は、その底面に、カメラ本体14の底面に設けられている三脚取付孔と同様の三脚取付孔を設けてこのストロボレギュレータ付のデジタルカメラ１２を三脚に取り付けることができるようにしてもよい。
【産業上の利用可能性】
【００３１】
本発明によれば、  ストロボレギュレータがデジタルカメラのカメラ本体の頂部ではなく、このカメラ本体の底面を着脱自在に固定するので、カメラから目を離して肉眼で被写体を確認する際に、ストロボレギュレータが邪魔となることがなく、被写体の確認を容易に行うことができ、産業上の利用性が向上する。
【図面の簡単な説明】
【００３２】
【図１】本発明の１つの実施の形態によるストロボレギュレータを備えたデジタルカメラの斜視図である。
【図２】図１のデジタルカメラに用いられるストロボ手段とストロボレギュレータとの接続状態の斜視図である。
【図３】図２のストロボ手段からその保持機構を取り外した状態の斜視図である。
【図４】図１乃至図３に示されるストロボレギュレータの拡大上面図である。
【図５】図１乃至図３に示されるストロボレギュレータに用いられるカメラ固定手段の拡大断面図である。
【図６】本発明の他の実施の形態によるストロボレギュレータを備えたデジタルカメラの斜視図である。
【図７】図６のデジタルカメラに用いられるストロボ手段とストロボレギュレータとの接続状態の斜視図である。
【符号の説明】
【００３３】
１０  ストロボレギュレータ
１２  デジタルカメラ
１４  カメラ本体
１４ＨＳ  ホットシュー
１６  レンズ筒
１８、１８’ストロボ閃光体
２０  ストロボ手段
２２  リング状ストロボホルダー
２４、２４’ストロボ保持機構
２６  ケース
２６Ｓ  スリット
２８  カメラ固定手段
３０  ストロボレギュレータ本体
３２  電源
３４  ＩＣ回路基板
３６  ストロボ用メインコンデンサ
３８  トランス
４０  ストロボ発光用トリガーコイル
４２  電池収納部
４４、４４’  接続ケーブル
４６  ねじ棒
４８  摘み
５０  ホットシューアダプタ
５２  接続コード
５６  光量調節ダイヤル
５８  電源スイッチ
６０  ＡＣアダプタジャック
【図１】
2005331540.tif 000003
【図２】
2005331540.tif 000004
【図３】
2005331540.tif 000005
【図４】
2005331540.tif 000006
【図５】
2005331540.tif 000007
【図６】
2005331540.tif 000008
【図７】
2005331540.tif 000009